(57)【要約】【課題】  電源投入後、初期画像が投写されるまでの時間を短縮可能なプロジェクタ及びその制御方法を提供する。【解決手段】  電源投入後、ＣＰＵは画像処理部、ライトバルブ駆動部、ファン制御部、ＬＥＤ表示部、タイマ、及びランプ制御部の初期化（ステップＳ１０１〜Ｓ１０６）を行った後、光源ランプの点灯動作（ステップＳ１０６）を行い、その後、光源ランプの点灯確認（ステップＳ１１３）を行う前に、初期画像を投写するための描画処理（ステップＳ１０８）を行う。光源ランプの点灯動作の後には、ＯＳＤ処理部を初期化（ステップＳ１０７）し、初期画像の描画処理の後には、温度センサ、音声処理部、レシーバ、及び操作部の初期化（ステップＳ１０９〜Ｓ１１２）する。【選択図】  図２
2006317485.tif 000002
【特許請求の範囲】
【請求項１】
外部から入力される画像信号に応じた第１の画像を投写するとともに、電源投入後、前記第１の画像を投写する前に、第２の画像を投写するプロジェクタであって、
画像メモリと、
前記画像信号を外部から入力する画像信号入力部を有し、入力した前記画像信号に応じた画像データを前記画像メモリに格納する入力画像描画手段と、
前記第２の画像を表す画像データを前記画像メモリに格納する初期画像描画手段と、
光源と、
前記入力画像描画手段又は前記初期画像描画手段によって前記画像メモリに格納された画像データに応じて、前記光源から射出された光を変調する光変調装置と、
前記光変調装置で変調された光を拡大投写する投写レンズと、
前記光源に対して点灯動作を行う光源点灯手段と、
前記光源の点灯状態を検知する点灯検知手段と、
を備え、前記点灯検知手段は、電源投入後で、前記光源点灯手段による点灯動作後の最初の検知を、前記初期画像描画手段が前記画像データを前記画像メモリへ格納することを開始した後に行うことを特徴とするプロジェクタ。
【請求項２】
請求項１に記載のプロジェクタであって、当該プロジェクタを動作可能とするための初期化を行う初期化手段を備え、前記光源点灯手段は、電源投入後、前記初期化手段による初期化が完了する以前に、前記光源の点灯動作を行うことを特徴とするプロジェクタ。
【請求項３】
請求項１に記載のプロジェクタであって、当該プロジェクタを動作可能とするための初期化を行う初期化手段を備え、前記初期画像描画手段は、電源投入後、前記初期化手段による初期化が完了する以前に、前記画像データを前記画像メモリに格納することを特徴とするプロジェクタ。
【請求項４】
光源と、画像メモリと、前記画像メモリに格納された画像データに応じて前記光源から出射された光を変調する光変調装置と、前記光変調装置で変調された光を拡大投写する投写レンズとを備え、外部から入力した画像信号に応じた画像データを前記画像メモリに格納して前記画像信号に応じた第１の画像を投写するとともに、電源投入後、前記第１の画像を投写する前に、第２の画像を表す画像データを前記画像メモリに格納して前記第２の画像を投写するプロジェクタの制御方法であって、
電源投入後に、前記光源に対して点灯動作を行う光源点灯工程と、
前記光源点灯工程の後に、前記第２の画像を表す画像データを前記画像メモリに格納する初期画像描画工程と、
前記初期画像描画工程の後に、前記光源の点灯状態を検知する点灯検知工程と、
を備えたことを特徴とするプロジェクタの制御方法。
【請求項５】
請求項４に記載のプロジェクタの制御方法であって、電源投入後に、当該プロジェクタを動作可能とするための初期化を行う第１及び第２の初期化工程を備え、
前記光源点灯工程は、前記第１の初期化工程と前記第２の初期化工程との間に行うことを特徴とするプロジェクタの制御方法。
【請求項６】
請求項４に記載のプロジェクタの制御方法であって、電源投入後に、当該プロジェクタを動作可能とするための初期化を行う第１及び第２の初期化工程を備え、
前記初期画像描画工程は、前記第１の初期化工程と前記第２の初期化工程との間に行うことを特徴とするプロジェクタの制御方法。
【発明の詳細な説明】
【技術分野】
【０００１】
本発明は、光源から射出された光を変調して投写するプロジェクタ及びその制御方法に関する。
【背景技術】
【０００２】
光源から射出された光を、光変調装置で入力信号（画像信号）に応じて変調し、スクリーン等に画像を拡大投写するプロジェクタには、光源として超高圧水銀ランプやメタルハライドランプ等の放電型光源ランプが主に用いられている。放電型光源ランプは、電源を投入し点灯を開始してから十分な明るさで安定した点灯状態となるまでに、長時間（数十秒）を要してしまう。このため、安定した点灯状態となるまでの間に、所定の画像（初期画像）を投写するプロジェクタが知られている（例えば、特許文献１参照）。初期画像を表示することで、点灯状態が安定して入力信号に応じた画像を投写可能となるまでの間、プロジェクタが準備中である旨を認識することができる。
【０００３】
初期画像を投写するためには、プロジェクタを動作可能な状態にする必要があるため、従来、プロジェクタの起動時には、プロジェクタ内部の各機能の準備（初期化）が完了した後に、光源の点灯動作を行い、光源の点灯が確認された後に初期画像の描画処理（光変調装置で変調するためのデータ処理）を行っていた。
【０００４】
【特許文献１】特開２００４−１５１６５８号公報
【発明の開示】
【発明が解決しようとする課題】
【０００５】
しかしながら、各機能の初期化には数秒の時間を要するうえ、光源を点灯させてから点灯確認が可能となるまでにもさらに数秒の時間を要するため、電源を投入してから、初期画像が投写されるまで間（十数秒）、何の画像も投写されない時間が継続することになる。また、各機能の初期化が完了してから光源を点灯させているため、初期画像が投写されるまでの時間のみならず、電源を投入してから安定した点灯状態となるまでに多くの時間を要していた。
【０００６】
本発明は上記問題を鑑みてなされたものであり、その第１の目的は、電源投入後、初期画像が投写されるまでの時間を短縮可能なプロジェクタ及びその制御方法を提供することにある。また、本発明の第２の目的は、電源投入後、光源が安定するまでの時間を短縮可能なプロジェクタ及びその制御方法を提供することにある。
【課題を解決するための手段】
【０００７】
本発明のプロジェクタは、外部から入力される画像信号に応じた第１の画像を投写するとともに、電源投入後、前記第１の画像を投写する前に、第２の画像を投写するプロジェクタであって、画像メモリと、前記画像信号を外部から入力する画像信号入力部を有し、入力した前記画像信号に応じた画像データを前記画像メモリに格納する入力画像描画手段と、前記第２の画像を表す画像データを前記画像メモリに格納する初期画像描画手段と、光源と、前記入力画像描画手段又は前記初期画像描画手段によって前記画像メモリに格納された画像データに応じて、前記光源から射出された光を変調する光変調装置と、前記光変調装置で変調された光を拡大投写する投写レンズと、前記光源に対して点灯動作を行う光源点灯手段と、前記光源の点灯状態を検知する点灯検知手段とを備え、前記点灯検知手段は、電源投入後で、前記光源点灯手段による点灯動作後の最初の検知を、前記初期画像描画手段が前記画像データを前記画像メモリへ格納することを開始した後に行うことを特徴とする。
【０００８】
このプロジェクタによれば、光源の点灯確認を行う前に、第２の画像を投写するための描画処理を行っているため、電源を投入してから第２の画像が投写されるまでの時間を短縮することが可能となる。
【０００９】
このプロジェクタにおいて、当該プロジェクタを動作可能とするための初期化を行う初期化手段を備え、前記光源点灯手段は、電源投入後、前記初期化手段による初期化が完了する以前に、前記光源の点灯動作を行うことが望ましい。
【００１０】
このプロジェクタによれば、すべての初期化が完了する前に光源の点灯動作を行っているため、光源の点灯時期を早めることが可能となり、これに伴って、電源を投入してから光源が安定するまでの時間を短縮することが可能となる。
【００１１】
このプロジェクタにおいて、当該プロジェクタを動作可能とするための初期化を行う初期化手段を備え、前記初期画像描画手段は、電源投入後、前記初期化手段による初期化が完了する以前に、前記画像データを前記画像メモリに格納することが望ましい。
【００１２】
このプロジェクタによれば、すべての初期化が完了する前に、第２の画像を投写するための描画処理を行っているため、電源を投入してから第２の画像が投写されるまでの時間をさらに短縮することが可能となる。
【００１３】
本発明のプロジェクタの制御方法は、光源と、画像メモリと、前記画像メモリに格納された画像データに応じて前記光源から出射された光を変調する光変調装置と、前記光変調装置で変調された光を拡大投写する投写レンズとを備え、外部から入力した画像信号に応じた画像データを前記画像メモリに格納して前記画像信号に応じた第１の画像を投写するとともに、電源投入後、前記第１の画像を投写する前に、第２の画像を表す画像データを前記画像メモリに格納して前記第２の画像を投写するプロジェクタの制御方法であって、電源投入後に、前記光源に対して点灯動作を行う光源点灯工程と、前記光源点灯工程の後に、前記第２の画像を表す画像データを前記画像メモリに格納する初期画像描画工程と、前記初期画像描画工程の後に、前記光源の点灯状態を検知する点灯検知工程とを備えたことを特徴とする。
【００１４】
このプロジェクタの制御方法によれば、光源の点灯確認を行う前に、第２の画像を投写するための描画処理を行っているため、電源を投入してから第２の画像が投写されるまでの時間を短縮することが可能となる。
【００１５】
このプロジェクタの制御方法において、電源投入後に、当該プロジェクタを動作可能とするための初期化を行う第１及び第２の初期化工程を備え、前記光源点灯工程は、前記第１の初期化工程と前記第２の初期化工程との間に行うことが望ましい。
【００１６】
このプロジェクタの制御方法によれば、すべての初期化が完了する前に光源の点灯動作を行っているため、光源の点灯時期を早めることが可能となり、これに伴って、電源を投入してから光源が安定するまでの時間を短縮することが可能となる。
【００１７】
このプロジェクタの制御方法において、電源投入後に、当該プロジェクタを動作可能とするための初期化を行う第１及び第２の初期化工程を備え、前記初期画像描画工程は、前記第１の初期化工程と前記第２の初期化工程との間に行うことが望ましい。
【００１８】
このプロジェクタの制御方法によれば、すべての初期化が完了する前に、第２の画像を投写するための描画処理を行っているため、電源を投入してから第２の画像が投写されるまでの時間をさらに短縮することが可能となる。
【００１９】
また、上述したプロジェクタ及びその制御方法が、プロジェクタに備えられたコンピュータを用いて構築されている場合には、本発明は、その機能を実現するためのプログラム、或いは当該プログラムを前記コンピュータで読み取り可能に記録した記録媒体等の態様で構成することも可能である。記録媒体としては、フレキシブルディスクやＣＤ−ＲＯＭ、光磁気ディスク、ＩＣカード、ＲＯＭカートリッジ、パンチカード、バーコード等の符号が印刷された印刷物、プロジェクタの内部記憶装置（ＲＡＭやＲＯＭ等のメモリ）、及び外部記憶装置等、前記コンピュータが読み取り可能な種々の媒体を利用することができる。
【発明を実施するための最良の形態】
【００２０】
以下、本発明の実施形態に係るプロジェクタについて、図面を参照して説明する。本実施形態のプロジェクタは、外部から画像信号及び音声信号を入力し、前記画像信号に応じた画像の投写、及び前記音声信号に応じた音声の出力を行うことができる。
【００２１】
図１は、本実施形態に係るプロジェクタの概略構成を示すブロック図である。
図１に示すように、プロジェクタ１は、ＣＰＵ（Central Processing Unit）１１と、制御プログラム等を記憶するフラッシュＲＯＭ（Read Only Memory）等からなるＲＯＭ１２と、各種設定値等を一時記憶するＲＡＭ（Random Access Memory）１３等を備えたコンピュータとしての主制御部１０、及び計時を行うタイマ１４を備えている。主制御部１０は、ＣＰＵ１１が前記制御プログラムを実行することにより、プロジェクタ１の動作を統括制御する。
【００２２】
また、プロジェクタ１は、ユーザインターフェイスとして、ユーザによる操作が可能な操作部１６、及び、ユーザに対してプロジェクタ１の動作状態等を報知可能なＬＥＤ表示部１７を備えている。操作部１６には、画質の調整等、プロジェクタ１に対して各種操作を行うためのキー等が備えられており、ユーザが操作部１６を操作すると、操作部１６は、操作内容に応じた操作信号をＣＰＵ１１に出力する。ＬＥＤ表示部１７は、１つ以上のＬＥＤ（発光ダイオード）によって構成されており、その点灯状態（オン、オフ、点滅）や点灯色等によってプロジェクタ１の動作状態等を外部に報知することが可能となっている。
さらに、プロジェクタ１は、光源としての光源ランプ２１と、光変調装置としての液晶ライトバルブ２２と、投写レンズ２３とを備えている。
液晶ライトバルブ２２は、マトリクス状に配列された複数の画素（図示せず）を有しており、画素毎に光源ランプ２１が射出する光を変調する。液晶ライトバルブ２２によって変調された光は、投写レンズ２３によって拡大投写され、スクリーンＳＣ等に画像が表示される。
【００２３】
本実施形態の光源ランプ２１には、放電型光源ランプが用いられており、その点灯及び消灯は、ＣＰＵ１１からの指示に基づき、光源点灯手段として機能するランプ制御部２４によって制御される。また、ランプ制御部２４は、光源ランプ２１が消費する電流（光源電流）に基づいて、光源ランプ２１の点灯状態（点灯しているか否か）を検知可能になっており、検知結果をＣＰＵ１１に出力する。つまり、ランプ制御部２４は、本発明における点灯検知手段としても機能する。なお、点灯検知手段としては、光源電流に基づいて検知するものに限られず、光源ランプ２１の照明光を受光しうる位置に光センサを備え、その受光量によって点灯を検知するようにしてもよい。
【００２４】
外部から供給される画像信号は、図示しない入力端子を介して、画像信号入力部としてのレシーバ３１に入力する。入力可能な画像信号としては、映像機器等から供給されるコンポーネントビデオ信号、コンポジットビデオ信号等のビデオ信号や、パーソナルコンピュータ等から供給されるアナログ又はディジタルのＲＧＢ信号等があり、レシーバ３１は、これらの画像信号を、後述する画像処理部３２で処理可能な形式の画像データに変換し、画像処理部３２に出力する。
【００２５】
画像処理部３２は、ＣＰＵ１１の指示に基づいて、レシーバ３１から入力された画像データに対して、解像度を液晶ライトバルブ２２の解像度（画素数）に合わせる解像度変換や、輝度調整、コントラスト調整、シャープネス調整等の画質調整、或いは、あおり投写を行うときの台形歪補正等の各種画像処理を施し、処理後の画像データを画像メモリとしてのフレームメモリ３３に書き込む。即ち、レシーバ３１と画像処理部３２とは、画像信号を入力して画像信号に応じた画像データをフレームメモリ３３に格納する入力画像描画手段として機能する。フレームメモリ３３に格納された画像データは、ＯＳＤ（オンスクリーンディスプレイ）処理部３４に出力される。
【００２６】
ＯＳＤ処理部３４は、画像合成部として機能し、ＣＰＵ１１の指示に基づいて、メニュー画像やメッセージ画像等からなるＯＳＤ画像を、表示画像（画像信号に応じた画像）に重畳するための処理を行う。具体的には、ＯＳＤ処理部３４は、ＣＰＵ１１の指示に応じたＯＳＤ画像データを図示しないＯＳＤメモリから読み出し、入力した画像データにこのＯＳＤ画像データを合成する。ＯＳＤ処理部３４で合成された画像データは、ライトバルブ駆動部３５に出力される。なお、ＯＳＤ画像を表示しない場合には、上記合成処理を行わないため、画像処理部３２から出力される画像データが、そのままライトバルブ駆動部３５に供給される。
【００２７】
ライトバルブ駆動部３５は、入力した画像データに応じて、液晶ライトバルブ２２を駆動するための駆動信号を生成する。液晶ライトバルブ２２が、この駆動信号に応じて光源光を変調することにより、画像データに応じた画像、即ち、レシーバ３１が入力した画像信号に応じた画像（第１の画像）が投写される。
【００２８】
画像信号とともに外部から供給される音声信号は、音声処理部３６に入力し、音質調整等の処理がなされた後、アンプ３７によって増幅され、スピーカ３８から音声として出力される。
【００２９】
プロジェクタ１の内部には、サーミスタ等からなる温度センサ４１及び空冷ファン４２が備えられている。温度センサ４１は、検出温度に応じた検出信号をＣＰＵ１１に出力する。空冷ファン４２は、ファン制御部４３によって動作が制御され、ＣＰＵ１１がファン制御部４３に指示をして空冷ファン４２を回転することにより、プロジェクタ１の内部を冷却することができる。なお、温度センサ４１や空冷ファン４２は、各々１つずつに限定されず、光源ランプ２１や液晶ライトバルブ２２等、温度管理が必要な部位毎に備えるようにしてもよい。
【００３０】
また、プロジェクタ１には電源回路４４、電源スイッチ（ＳＷ）４５、電源制御部４６が備えられている。電源回路４４は、ＡＣ１００Ｖ等の商用電源を入力して、ランプ制御部２４やファン制御部４３をはじめ、各部の動作に必要な各種電源電圧に変換することができる。電源スイッチ４５は、プロジェクタ１を起動及び停止するためのスイッチであり、電源制御部４６は、商用電源の入力とともに動作を開始し、電源スイッチ４５のオン・オフ操作を監視するとともに、電源回路４４から各部への電源供給を制御する。電源制御部４６は、電源スイッチ４５のオン操作を検知すると、電源回路４４に指示をして各部への電源供給を開始し、これに伴い主制御部１０による制御が開始する。また、オフ操作を検知すると、オフ信号を主制御部１０に出力する。
【００３１】
なお、ＲＯＭ１２には、制御プログラムの他に、電源投入時に投写する初期画像（第２の画像）を表す初期画像データが記憶されている。電源投入時、ＣＰＵ１１がＲＯＭ１２から初期画像データを読み出して、画像処理部３２に出力すると、画像処理部３２は、入力した初期画像データをフレームメモリ３３に格納する。即ち、本実施形態では、ＲＯＭ１２とＣＰＵ１１と画像処理部３２とが、初期画像データをフレームメモリ３３に格納する初期画像描画手段として機能する。初期画像としては、製造メーカを示すメーカロゴ、使用者を表すユーザロゴ、或いは、ブルーバック（全面青色の画像）等、任意の画像を用いることができる。ここで、初期画像データは、必ずしもＲＯＭ１２に記憶しておく必要はなく、例えば、制御プログラムに従ってＣＰＵ１１等が生成するようにしてもよい。ブルーバックのように単調な画像の場合には、その生成を容易に行うことができる。
【００３２】
次に、本実施形態のプロジェクタ１の動作について説明する。
図２は、プロジェクタ１の電源投入時の動作を示すフローチャートである。電源スイッチ４５がオン操作されて、主制御部１０に電源電圧が供給されると、ＣＰＵ１１は、ブート処理を行い、ＲＯＭ１２に記憶されているオペレーティングシステムを起動した後、同じくＲＯＭ１２に記憶されている制御プログラムに従ってプロジェクタ１の各部の初期化及び制御を開始する。ここで、初期化とは、ＣＰＵ１１がプロジェクタ１内の各部をそれぞれ動作可能な状態にするための動作であり、各部と通信するためのポートをそれぞれ有効にしたり、動作可能とするための信号を必要に応じて各部に送信したり、動作条件等を規定するための設定（レジスタの設定など）が必要なものには、予め定められた値（初期値）を設定したりすることをいい、本実施形態では、ＣＰＵ１１が前記初期化を行う初期化手段に相当する。
【００３３】
図２に示すように、ステップＳ１０１では、ＣＰＵ１１は、画像処理部３２（フレームメモリ３３を含む）及びライトバルブ駆動部３５を初期化し、ステップＳ１０２では、ファン制御部４３を初期化して、空冷ファン４２を初期速度（低速）で回転駆動する。
【００３４】
ステップＳ１０３では、ＣＰＵ１１は、ＬＥＤ表示部１７を初期化するとともに、ＬＥＤ表示部１７のＬＥＤを、ウォームアップ中であることを示す点灯状態とし、ステップＳ１０４では、タイマ１４を初期化する。
【００３５】
ステップＳ１０５では、ＣＰＵ１１は、前回プロジェクタ１を使用した際の設定値を復元する。プロジェクタ１はその動作中、各種設定値をＲＡＭ１３に記憶しており、電源スイッチ４５がオフ操作されて電源制御部４６からオフ信号を受信すると、ＲＡＭ１３に記憶されている各種設定値をＲＯＭ１２に退避するようになっている。つまり、本ステップでは、ＲＯＭ１２に退避された各種設定値を読み出し、再びＲＡＭ１３に記憶させる動作を行う。
【００３６】
ステップＳ１０６では、ＣＰＵ１１は、ランプ制御部２４を初期化するとともに、ランプ制御部２４に指示をして、光源ランプ２１に対する点灯動作（電圧の印加）を行う。
【００３７】
ステップＳ１０７では、ＣＰＵ１１は、ＯＳＤ処理部３４の初期化を行う。
【００３８】
ステップＳ１０８では、初期画像の描画処理を行う。具体的には、ＣＰＵ１１は、初期画像データをＲＯＭ１２から読み出して、画像処理部３２に出力し、画像処理部３２は、入力した初期画像データをフレームメモリ３３に格納するとともに、ＯＳＤ処理部３４を介してライトバルブ駆動部３５に出力する。ライトバルブ駆動部３５は、この初期画像データに基づいて液晶ライトバルブ２２を駆動する。ここで、ステップＳ１０６における光源ランプ２１の点灯動作により、光源ランプ２１が正常に点灯していれば、その後の時間経過により光源ランプ２１の輝度が高まるにつれて、投写された初期画像が徐々に視認可能となる。
【００３９】
ＣＰＵ１１は、初期画像の描画処理を行った後、温度センサ４１を初期化して温度制御を開始し（ステップＳ１０９）、さらに、音声処理部３６の初期化（ステップＳ１１０）、レシーバ３１の初期化（ステップＳ１１１）、操作部１６の初期化（ステップＳ１１２）を行う。
【００４０】
ステップＳ１１３では、ＣＰＵ１１は、ランプ制御部２４から光源ランプ２１の点灯状態の検知結果を受信して、ステップＳ１０６における点灯動作によって光源ランプ２１が正常に点灯されたか否かを判断する。正常に点灯していればステップＳ１１５に移行し、正常に点灯していなければステップＳ１１４に移行する。
【００４１】
ステップＳ１０６における光源ランプ２１の点灯が失敗し、ステップＳ１１４に移行した場合には、光源ランプ２１の再点灯処理を行う。具体的には、ＣＰＵ１１は、ランプ制御部２４による点灯動作とその所定時間後の点灯検知とを、光源ランプ２１の点灯が検知されるまで、或いは、点灯動作が所定回数に達するまで繰り返して行い、この結果、光源ランプ２１の点灯が検知されればステップＳ１１５に移行する。なお、図示は省略しているが、ステップＳ１１４において、例えばランプ切れ等のために点灯動作を所定回数繰り返しても点灯が検知されない場合には、ＬＥＤ表示部１７によってその旨を報知して処理を終了する。
【００４２】
ステップＳ１１５では、ＣＰＵ１１は、入力ソースの確認を行う。具体的には、レシーバ３１に画像信号が入力されているか否かの検知を行い、入力されている場合には、その画像信号の表示モードを特定する。入力端子を複数備える場合には、いずれか１つの入力端子から画像信号が入力されるまで本ステップを繰り返す。その後、ステップＳ１１６では、ＣＰＵ１１は、レシーバ３１に指示をして、特定した表示モードに応じて画像信号のサンプリングを行い、画像データを生成する。レシーバ３１で生成された画像データは、必要に応じて画像処理部３２、ＯＳＤ処理部３４で画像処理や合成処理が施された後、ライトバルブ駆動部３５に供給される。これにより、画像信号に応じた画像の投写が開始され、電源投入時の処理が終了する。
【００４３】
なお、「プロジェクタ１の起動」や「プロジェクタ１の電源投入」とは、上述したように、主制御部１０に電源電圧が供給されてＣＰＵ１１が動作を開始する場合をいうとともに、待機状態からの復帰や、図示しないリセットスイッチによるリセット動作等、少なくとも光源ランプ２１の点灯動作を伴う動作処理を行う場合を指す。
【００４４】
以上説明したように、本実施形態のプロジェクタ１によれば、以下の効果を得ることができる。
（１）本実施形態のプロジェクタ１及びその制御方法によれば、光源ランプ２１の点灯確認（ステップＳ１１３）を行う前に、初期画像を投写するための描画処理（ステップＳ１０８）を行っているため、電源を投入してから初期画像が投写されるまでの時間を短縮することが可能となる。
【００４５】
（２）本実施形態のプロジェクタ１及びその制御方法によれば、画像処理部３２、ライトバルブ駆動部３５、ファン制御部４３、ＬＥＤ表示部１７、タイマ１４、及びランプ制御部２４の初期化（第１の初期化工程）の後に、光源ランプ２１の点灯動作を行い、その後、ＯＳＤ処理部３４、温度センサ４１、音声処理部３６、レシーバ３１、及び操作部１６の初期化（第２の初期化工程）を行っている。つまり、すべての初期化が完了する前に光源ランプ２１の点灯動作を行っているため、光源ランプ２１の点灯時期を早めることが可能となり、これに伴って、電源を投入してから光源ランプ２１が安定するまでの時間を短縮することが可能となる。
【００４６】
（３）本実施形態のプロジェクタ１及びその制御方法によれば、画像処理部３２、ライトバルブ駆動部３５、ファン制御部４３、ＬＥＤ表示部１７、タイマ１４、ランプ制御部２４の初期化、及びＯＳＤ処理部３４の初期化（第１の初期化工程）の後に、初期画像を投写するための描画処理を行い、その後、温度センサ４１、音声処理部３６、レシーバ３１、及び操作部１６の初期化（第２の初期化工程）を行っている。つまり、すべての初期化が完了する前に、初期画像を投写するための描画処理を行っているため、電源を投入してから初期画像が投写されるまでの時間をさらに短縮することが可能となる。
【００４７】
（変形例）
なお、本発明の実施形態は、以下のように変更してもよい。
・光源ランプ２１の点灯動作、及び初期画像の描画処理のそれぞれを行うために必要な初期化が事前に行われていれば、各部の初期化の順序は前記に限定されない。
【００４８】
・ＣＰＵ１１は、初期画像の描画処理を開始した後であれば、初期画像の描画処理と並行して、ステップＳ１０９以降の動作を進めるようにしてもよい。
【００４９】
・前記実施形態では、透過型の液晶ライトバルブ２２を用いて光源光の変調を行っているが、反射型の光変調装置であるＬＣＯＳ（Liquid Crystal On Silicon）等を用いることも可能である。また、入射した光の射出方向を、画素としてのマイクロミラー毎に制御することにより、光源から射出した光を変調するＤＭＤ（テキサスインスツルメンツ社の登録商標）（デジタル・マイクロミラー・デバイス）等を用いることもできる。
【図面の簡単な説明】
【００５０】
【図１】プロジェクタの概略構成を示すブロック図。
【図２】プロジェクタの電源投入時の動作を説明するフローチャート。
【符号の説明】
【００５１】
１…プロジェクタ、１０…制御部、１１…ＣＰＵ、１２…ＲＯＭ、１３…ＲＡＭ、１４…タイマ、１６…操作部、１７…ＬＥＤ表示部、２１…光源ランプ、２２…液晶ライトバルブ、２３…投写レンズ、２４…ランプ制御部、３１…レシーバ、３２…画像処理部、３３…フレームメモリ、３４…ＯＳＤ処理部、３５…ライトバルブ駆動部、３６…音声処理部、３７…アンプ、３８…スピーカ、４１…温度センサ、４２…空冷ファン、４３…ファン制御部、４４…電源回路、４５…電源スイッチ、４６…電源制御部。
【図１】
2006317485.tif 000003
【図２】
2006317485.tif 000004